(57)【特許請求の範囲】
【請求項１】
管内に高分子ゲル材（２）を充填した合成樹脂製皮革基材（１）を編んだ編布でゲル含有層を形成し、そのゲル含有層の表面（１ａ）及び裏面（１ｂ）を高分子ゲル材（２）が透過しない合成樹脂製の表面保護層（６）で被覆して成るゲル材含有皮革。
【請求項２】
高分子ゲル材（２）及び／又は皮革基材（１）中に、抗菌剤、芳香剤、消臭剤、着色剤、活性炭粉及び／又は粒子、セラミック粉及び／又は粒子、金属粉及び／又は粒子のうち少なくともいずれか１つの添加物（Ａ）を含有して成る請求項１に記載のゲル材含有皮革。
【発明の詳細な説明】
【０００１】
【発明の属する技術分野】
本発明は主として衣料、帽子、手袋及び履き物などに加工される装身用品の原材料となる皮革に関する。
【０００２】
【従来の技術】
これまで、保温を目的とした衣料用等の布地や皮革加工原材料が各種提案され、提供されている。
それらは、いずれの皮革材においても、その強度的な性能は重要であるが、その上で、断熱性について優れ、且つ軽量化が可能な空気層を如何に効果的に確保するかが最大の課題となっている。
また布地では、例えば大量の空気層が形成され、しかも軽い羽毛を用いたダウンウェアが保温に優れた高級品として珍重されている。
また、毛付きの動物毛皮、発泡性人工皮革、繊維を起毛させた人工皮革なども、その繊維間に抱き込まれる空気によって断熱性を高め保温性の高い素材として各種用途に使用されている。
【０００３】
断熱性能を得るための空気自体は、熱伝導率が２０℃で０．０２２ｋａｌ／ｍｈ℃と小さいので優れた断熱性が得られメリットがある。しかし、空気は気体であるので、身体の動きや体温によって、体積が小さくとも各空隙又は各気泡内に空気移動や循環が発生し、その結果、外気に接する気泡と肌側の気泡との間に温度連絡による熱交換が起こり、外気の影響が肌側に容易に達することになる。
この熱交換は、外気と肌面との温度差が大きいほど、空隙又は気泡内の空気移動や循環が活発化して、外気の温度が肌面に影響し易くなる。
【０００４】
他方、例えば、人体では皮下脂肪があり、その皮下脂肪は分解されて熱エネルギーとなるとともにその存在自体の断熱・保温性能によって体温が効果的に保持されることが知られている。
そこで、例えば、その断熱・保温性能を活用して人工皮革にも脂肪を組み込もうとしても、その脂肪は温度が高くなると固形脂肪が液体脂肪となって人工皮革の組織内に溶け出してしまい、人工皮革に応用することには大変に困難である。
また、油脂類は短期間で分解し変質して、腐敗し悪臭を発するなどの難点がある。このため、これまでそのようなことは提案されることも実施されることもなかった。
【０００５】
そこで、本発明者は、温度や紫外線などに対して物質安定性が高く、自由に変形できる柔軟性をもっている固体素材として、熱伝導率が小さく（０．０２〜０．０２ｋａｌ／ｍｈ℃程度）且つ熱保持性能（蓄熱性能）の高い物質、即ちシリコーン等のゲル材に着眼した。
ゲル材は元来変形しやすいので大変加工しにくく、また流動性の高いものでは大変扱い難いものと考えられているので、そのような、ゲル材を使用した人工皮革を提案する人はいなかった。
【０００６】
【発明が解決しようとする課題】
本発明は、このような実情に鑑みてなされたもので、物質安定性が高く、熱伝導率が小さく且つ気体や液体に較べると流動性が殆どなく、また熱保持性能に優れているゲル材を用いることによって、外気との熱交換が起こりにくく保温性・保冷性に優れた衣料などに加工される原材料としての皮革を提供するものである。
【０００７】
【課題を解決するための手段】
上記課題を解決するために、本発明は、管内に高分子ゲル材２を充填した合成樹脂製皮革基材１を編んだ編布でゲル含有層を形成し、そのゲル含有層の表面１ａ及び裏面１ｂを高分子ゲル材２が透過しない合成樹脂製の表面保護層６で被覆して成るゲル材含有皮革である。
【００１０】
さらに、上記構成において、前記高分子ゲル材２及び／又は皮革基材１中に、抗菌剤、芳香剤、消臭剤、着色剤、活性炭粉及び／又は粒子、セラミック粉及び／又は粒子、金属粉及び／又は粒子のうち少なくともいずれか１つの添加物Ａを含有して成るものである。
【００１１】
【発明の実施の形態】
本発明の実施の形態を以下図で説明する。
本発明は、本革３（図１に示す）及び／又は人工合成皮革４（図２に示す）から成る皮革基材１中に高分子ゲル材２を、そのまま（図３に示す）又は合成樹脂被膜５で被覆（図４に示す）して含有させて成るゲル材含有皮革である。
前記高分子ゲル材２としては、シリコーン樹脂などの高分子化合物のゲル材が使用できる。
【００１２】
前記人工合成皮革４は、天然繊維、合成繊維、無機繊維のうちの単独又は複数の組合せである編布、織布（図２に示す）又は不織布が使用できる。
また、柔軟性を有する樹脂シート（図５に示す）、柔軟性を有し且つ空隙７含有樹脂シート（図６に示す）のうちの単独（図５及び図６に示す）又は複数の組合せ（図７に示す）であり、それらの単層（図５に示す）か又はそれらの内の同一種（図８に示す）又は異種を複数積層（図７に示す）する。
【００１３】
また、前記高分子ゲル材２を含有させた皮革基材１の表面１ａ（図９に示す）及び／又は裏面１ｂ（図１０に示す）に、高分子ゲル材２を透過させない表面保護膜層６を形成する。
【００１４】
さらに、図１１に示すように、前記高分子ゲル材２及び／又は皮革基材１中に、抗菌剤、芳香剤、消臭剤、着色剤、活性炭粉及び／又は粒子、セラミック粉及び／又は粒子、金属粉及び／又は粒子のうち少なくともいずれか１つの添加物Ａを含有させることもできる。
【００１５】
次に、ゲル材２を皮革基材１の中に含ませ（入れ）ることは難しいが、上記各構成のゲル材含有皮革について製造する方法は種々ある。その内のいくつかの製造方法を以下説明する。
【００１６】
例えば、通気性空隙がある皮革基材１の裏面側に高分子ゲル材２を置いて加圧し、同時にその皮革基材１の表面側をその裏面側の圧力とは相対的に減圧して前記空隙中にある空気を吸い出して強制的に高分子ゲル材２を入れ方法がある。
【００１７】
また、台盤に単数又は複数枚の通気性空隙のある皮革基材１を置き、それらの間に高分子ゲル材２を挟み込み、その最表面に配される皮革基材１の上に空気透過性を有する加圧板を載せて、その加圧板で内部の高分子ゲル材２を押し潰すように押圧し、その高分子ゲル材２を前記皮革基材１の多くの空隙中に強制的に侵入させる方法も可能である。
【００１８】
さらに、通気性空隙のある皮革基材１の裏面側に高分子ゲル化原料微粉体を置き、その皮革基材１の表面側を減圧して皮革基材１の多くの空隙中に前記ゲル化原料微粉体を吸い込ませた後、その裏面に残ったゲル化原料微粉体を除去し、前記空隙中にある前記ゲル化原料微粉体にゲル化剤を接触反応させて前記皮革基材１中でゲル化させる方法も可能である。
【００１９】
さらにまた、平面上に高分子ゲル材２を散布し、その上から溶融合成樹脂皮革基材を塗布又は流して散布した高分子ゲル材２をその被膜中に閉じ込めるか又はさらに前記高分子ゲル材２の散布と前記溶融合成樹脂皮革基材の塗布又は流すことを複数回繰返してその皮革基材１面に散布した複数層（図８に示す）の高分子ゲル材２を、硬化した被膜で閉じ込めることもできる。
【００２０】
またさらに、溶融合成樹脂皮革基材中に高分子ゲル材２を投入して攪拌混合し、溶融状態で平面上に置くか又は半硬化状態で回転ロールによって、所望の厚さに形成してそのまま前記溶融合成樹脂皮革基材を硬化させ（図５に示す）て作ることができる。
【００２１】
また、水平に置いた通気性空隙のある皮革基材１上に高分子液状ゲル化材を流して重力でその皮革基材１中に液状ゲル化材を含浸させ、そのまま又はゲル化を待って、表面に付着した前記高分子ゲル化材を除去して製造することもできる。
【００２２】
さらに、流動性の高い高分子液状ゲル化材中に通気性空隙のある皮革基材１を漬けて皮革碁材１中に液状ゲル化材を含浸させ、液状ゲル化材が含浸した皮革基材１を液状ゲル化材中から引上げてそのまま又はゲル化を待って、表面に付着した前記高分子ゲル化材を除去することによって作ることができる。
【００２３】
さらにまた、図１２に示すように、皮革基材１を合成樹脂で管体に形成し、その管体内に高分子ゲル材２を入れ、そのゲル材２入りの管体を編み込む方法も可能である。
【００２４】
またさらに、合成樹脂繊維及び／又は無機繊維と合成樹脂バインダー繊維と、高分子ゲル材２とを攪拌混合し、加熱プレスして各繊維同士を結合させ、高分子ゲル材２入り不織布を形成することもできる。
【００２５】
また、合成樹脂繊維及び／又は無機繊維と合成樹脂バインダー繊維と、高分子ゲル化原料微粉体とを攪拌混合し、加熱プレスして各繊維同士を結合させ、ゲル化原料微粉体入り不織布を形成し、その不織布中のゲル化原料微粉体にゲル化剤を加えゲル化させて作ることもできる。
【００２６】
さらに、皮革基材１中に高分子ゲル材２を入れた注入器の針を挿し込んで、その高分子ゲル材２を皮革基材１中に注入する方法もある。
【００２７】
【発明の作用並びに効果】
本発明は上記構成であり、皮革基材１中に高分子ゲル材２が封入され、その高分子ゲル材２は、熱エネルギーは出し入れするが、気体に見られるような自由な物質循環・移動が殆どなく、そのため皮革内外への温度の移動、移転を容易にさせない作用を有する。
このため、本発明皮革を加工した衣類などを着ると、肌から外気への温度放出が、高分子ゲル材２によって遮断され（断熱機能）、且つ、これまでの気泡（気体）による断熱作用と異なり、高分子ゲル材２内に伝熱された熱量が物質内部に保持され（蓄熱機能）、身体の皮下脂肪と同様に高い保温効果が得られる。
それとは逆に、外部が熱くてもその熱さを遮断（断熱機能）し内部を保冷する効果もある。
【００２８】
そして、冷たい水中にて使用されるウエットスーツや寒冷地の防寒着に使用すれば、寒冷環境に長時間耐えることができる。
また、本発明の皮革を用いて、その他各種の高い保温性能が得られる保温用衣類や保温用の靴下、手袋なども製造が可能となる。
【００２９】
また、前記高分子ゲル材２及び／又は皮革基材１中に、抗菌剤、芳香剤、消臭剤、着色剤、活性炭粉及び／又は粒子、セラミック粉及び／又は粒子、金属粉及び／又は粒子のうち少なくともいずれか１つの添加物Ａを含有させることによって、かびや細菌にの繁殖を防ぎ、芳しい香を発散し、体臭などを消臭し、また好みの色に着色し、電磁波を防ぎなどのそれら添加物Ａの特性を付与させることも可能である。
【図面の簡単な説明】
【図１】本発明の縦断側面図。
【図２】別の形態の縦断側面図。
【図３】別の形態の縦断側面図。
【図４】別の形態の縦断側面図。
【図５】別の形態の縦断側面図。
【図６】別の形態の縦断側面図。
【図７】別の形態の縦断側面図。
【図８】別の形態の縦断側面図。
【図９】別の形態の縦断側面図。
【図１０】別の形態の縦断側面図。
【図１１】別の形態の縦断側面図。
【図１２】別の形態の縦断側面図。
【符号の説明】
１    皮革基材
１ａ  皮革基材の表面
１ｂ  皮革基材の裏面
２    高分子ゲル
３    本革
４    人工合成皮革
５    合成樹脂被膜
６    表面保護膜層
７    空隙
Ａ    添加物
【図１】
0004115631.tif 000002
【図２】
0004115631.tif 000003
【図３】
0004115631.tif 000004
【図４】
0004115631.tif 000005
【図５】
0004115631.tif 000006
【図６】
0004115631.tif 000007
【図７】
0004115631.tif 000008
【図８】
0004115631.tif 000009
【図９】
0004115631.tif 000010
【図１０】
0004115631.tif 000011
【図１１】
0004115631.tif 000012
【図１２】
0004115631.tif 000013